(57)【要約】【課題】斜面安定用受圧体の運搬取扱性を改善できて、現場に応じて斜面安定用受圧体の強度調整を行えること。【解決手段】全体が錐形を呈する複数のカップ体２０により斜面安定用受圧体１０を構成し、大きさ順に積み重ねた複数のカップ体２０をアンカー４０に嵌挿し、アンカー４０を緊張して斜面安定用受圧体１０を地山３０に押し込んで定着する。【選択図】図１
2007297868.tif 000002
【特許請求の範囲】
【請求項１】
アンカーに緊張定着して地山を押さえる斜面安定用受圧体であって、
全体が錐形を呈し、
中央にアンカー挿通用の貫通孔を有するカップ体により構成し、
前記カップ体の内外面が傾斜していることを特徴とする、
斜面安定用受圧体。
【請求項２】
アンカーに緊張定着して地山を押さえる斜面安定用受圧体であって、
全体が錐形を呈し、
中央にアンカー挿通用の貫通孔を有する複数のカップ体により構成し、
前記各カップ体の内外面が傾斜していると共に、
前記複数のカップ体の大きさを異なる組み合わせとしたことを特徴とする、
斜面安定用受圧体。
【請求項３】
請求項２において、複数のカップ体が積み重ね可能な相似形を呈することを特徴とする、斜面安定用受圧体。
【請求項４】
請求項１乃至請求項３のいずれかにおいて、カップ体に複数の開口を形成したことを特徴とする、斜面安定用受圧体。
【請求項５】
斜面に設けたアンカーに斜面安定用受圧体を緊張定着して地山を押さえる斜面安定化工法であって、
前記請求項１に記載した斜面安定用受圧体を使用し、
アンカーに前記カップ体を嵌挿し、
アンカーを緊張して前記カップ体を地山に押し込んで定着することを特徴ととする、
斜面安定化工法。
【請求項６】
斜面に設けたアンカーに斜面安定用受圧体を緊張定着して地山を押さえる斜面安定化工法であって、
前記請求項２乃至請求項４に記載した斜面安定用受圧体を使用し、
大きさ順に積み重ねた前記複数のカップ体をアンカーに嵌挿し、
アンカーを緊張して前記複数のカップ体で構成される斜面安定用受圧体を地山に押し込んで定着することを特徴ととする、
斜面安定化工法。
【請求項７】
請求項５または請求項６において、前記カップ体を斜面に据え付けた後に、該カップ体に覆土したことを特徴とする、斜面安定化工法。
【発明の詳細な説明】
【技術分野】
【０００１】
本発明は、各種のグラウンドアンカーと組み合わせて法面や斜面の安定化を図る斜面安定用受圧体及び斜面安定化工法に関するものである。
【背景技術】
【０００２】
斜面の安定化を図る工法として、斜面に法枠用型枠を配置し、法枠用型枠内に配筋してコンクリートを吹き付けて格子状の法枠で斜面を支持する法枠工法が広く知られている。
【０００３】
又、近年の作業熟練者の不足傾向や高齢化に対応すべく、予め工場で製作した各種の受圧板とグラウンドアンカーとを組み合わせて斜面の安定化を図る斜面安定化工法が知られている。
この種の受圧板としては、例えば特許文献１，２により開示されている。
【０００４】
【特許文献１】実開平１−１４１８４２号公報
【特許文献２】特開平３−１６１６１５号公報
【発明の開示】
【発明が解決しようとする課題】
【０００５】
従来の受圧板を使用した斜面安定化技術には次のような問題点があった。
（１）従来の受圧板は、強度確保の要請からコンクリートや金属で形成されて大重量物となっている。
そのため、受圧板の製造コストも高くつくだけでなく、運搬や取扱性が極めて悪い。
（２）大重量の受圧板の据付にあたってはクレーンで吊り上げて据え付けを行っているが、作業者は足場が非常に悪い急斜面での作業を強いられるため、現場での据付施工が困難を極める。
そのため、工期が長期化し、さらに施工コストが嵩む問題がある。
（３）受圧板は平面形状が十字形を呈する場合が多く、この形状の場合は構造上、放射状にのびる各脚部の付根箇所が強度的な弱点となる。
そのため、受圧板の弱点部を補強するために、鉄筋やＰＣ鋼線等の配筋量を増したり、厚肉に形成する等の補強対策を講じる必要がある。
（４）従来の受圧板の据付面となる底面は平らである。
そのため、不陸のある斜面にそのまま設置すると、斜面と受圧板の間に隙間が発生する。
この隙間の発生を回避するために、従来は斜面を平に切土したり、或いは、起伏のある斜面と受圧板との間に座布団材等の種々の不陸解消用補助具を介在する必要があり、その分、作業工数が増えコストも嵩む。
（５）従来の受圧板は十ｃｍ以上の厚みがあるから、施工後において、斜面から受圧板が隆起する。さらに受圧板の上面からアンカーキャップが外方へ突出する。
そのめに、受圧板を設置した現場に多数の隆起物が点在することと成って景観性が非常に悪い。
【０００６】
本発明は以上の点に鑑みてなされたもので、少なくともつぎのひとつの斜面安定用受圧体及び斜面安定化工法を提供することにある。
（１）斜面安定用受圧体の軽量で運搬取扱性に優れ、製造コストの低廉化が図れること。
（２）工期の短縮と施工コストの低減を図ること。
（３）現場に応じて斜面安定用受圧体の強度調整を行えること。
（４）斜面の整地が不要で、不陸解消用補助具の設置も省略すること。
（５）現場の景観性を改善すること。
【課題を解決するための手段】
【０００７】
本願の第１発明は、アンカーに緊張定着して地山を押さえる斜面安定用受圧体であって、全体が錐形を呈し、中央にアンカー挿通用の貫通孔を有するカップ体により構成し、前記カップ体の内外面が傾斜していることを特徴とする、斜面安定用受圧体を提供する。
本願の第２発明は、アンカーに緊張定着して地山を押さえる斜面安定用受圧体であって、全体が錐形を呈し、中央にアンカー挿通用の貫通孔を有する複数のカップ体により構成し、前記各カップ体の内外面が傾斜していると共に、前記複数のカップ体の大きさを異なる組み合わせとしたことを特徴とする、斜面安定用受圧体を提供する。
本願の第３発明は、前記第２発明において、複数のカップ体が積み重ね可能な相似形を呈することを特徴とする、斜面安定用受圧体を提供する。
本願の第４発明は、前記第１発明乃至第３発明のいずれかにおいて、カップ体に複数の開口を形成したことを特徴とする、斜面安定用受圧体を提供する。
【０００８】
本願の第５発明は、斜面に設けたアンカーに斜面安定用受圧体を緊張定着して地山を押さえる斜面安定化工法であって、前記請求項１に記載した斜面安定用受圧体を使用し、アンカーに前記カップ体を嵌挿し、アンカーを緊張して前記カップ体を地山に押し込んで定着することを特徴ととする、斜面安定化工法を提供する。
本願の第６発明は、斜面に設けたアンカーに斜面安定用受圧体を緊張定着して地山を押さえる斜面安定化工法であって、前記請求項２乃至請求項４に記載した斜面安定用受圧体を使用し、大きさ順に積み重ねた前記複数のカップ体をアンカーに嵌挿し、アンカーを緊張して前記複数のカップ体で構成される斜面安定用受圧体を地山に押し込んで定着することを特徴ととする、斜面安定化工法を提供する。
本願の第７発明は、前記第５発明または第６発明において、前記カップ体を斜面に据え付けた後に、該カップ体に覆土したことを特徴とする、斜面安定化工法を提供する。
【発明の効果】
【０００９】
本発明はつぎの特有の効果を得ることができる。
（１）斜面安定用受圧体を軽量なカップ体で構成するので、斜面安定用受圧体の運搬取扱性に優れ、かつ、製造コストの低廉化が図れる。
（２）斜面安定用受圧体を軽量なカップ体で構成するので、工期の短縮と施工コストの低減を図ることができる。
（３）斜面安定用受圧体を構成するカップ体の枚数を選択するだけで、現場に応じて斜面安定用受圧体の強度調整を行える。
（４）カップ体が錐形を呈するので、本発明に係る斜面安定用受圧体は従来の平板形を呈する受圧版と比べて変形に強く、大幅な薄肉化が図れる。
（５）斜面安定用受圧体を地山に押し込んで据え付けるので、斜面の整地が不要で、かつ、起伏のある斜面との間に不陸を解消するための補助具の設置を省略することができる。
（６）据付後に斜面からの突出物がないので景観性を改善することができる。
【発明を実施するための最良の形態】
【００１０】
以下、図面を参照しながら本発明を実施するための最良の形態について説明する。
【００１１】
（１）斜面安定用受圧体
図１は本発明の一例を示す斜視図、図２は図１に示した斜面安定用受圧体１０の断面図である。
本発明に係る斜面安定用受圧体１０は、大きさの異なる複数のカップ体２０で構成され、複数組のカップ体２０を積み重ねて使用する。
【００１２】
（２）カップ体
カップ体２０は板体を擂鉢状、傘状、碗状又は皿状に形成して全体形状が錐形（錐台形、半球形を含む）を呈する。
カップ体２０の底面に相当する外面２１は、略テーパ状に形成され、又、カップ体２０の窪んだ内面２２は逆テーパ状に形成されている。
図２に示すように、外面２１の傾斜角θは適宜選択するが、実用上１０°前後が好適である。
各カップ体２０の中央にはアンカー挿通用の貫通孔２３が形成されている。
【００１３】
従来の受圧板は底面が平面であった。
本発明では各カップ体２０の底面全体が平ではなく、外面２１を傾斜した錐形面として形成した。
カップ体２０の外面２１を錐形面にしたのは、斜面３０に設置したときに、各カップ体２０を斜面に貫入させて斜面安定用受圧体１０の突出量を大幅に減らすか、或いは斜面３０からの突出を完全になくすためと、不陸のある斜面３０を整地せずに斜面安定用受圧体１０を直接設置するためである。
【００１４】
又、カップ体２０の内面２２を傾斜した錐面にしたのは、カップ体２０の積み重ねを可能とするためと、アンカーヘッド４１やアンカーキャップ４２を斜面安定用受圧体１０の内部に収容して斜面安定用受圧体１０の開口端から突出するのを回避するためである。
又、カップ体２０は錐形を呈するので、従来の平板形を呈する受圧板と比較して変形に強い利点がある。
【００１５】
カップ体２０を具体的に説明すると、各カップ体２０は積み重ねが可能なように相似形の関係にあり、又、その平面的な大きさ（外径）と高さ（深さ）が夫々異なる。
ここでいう「相似形の関係」とは、完全な相似形を意味するものではなく、上下の各カップ体２０の内外面２１，２２が互いに接面して隙間なく積み重ねが可能な形状の関係を意味するものである。
【００１６】
各カップ体２０の大きさと高さ寸法を相違させたのは、各カップ体２０を積み重ねたときに、斜面安定用受圧体の厚さを中央から周縁に亘って漸減するように、斜面安定用受圧体１０の肉厚を変化させるためである。
具体的には、斜面安定用受圧体１０の中心部付近の厚さを厚くし、周縁に近づくにつれて徐々に薄くなるように積み重ねるためである。
したがって、カップ体２０の積み重ね枚数を選択することで、斜面安定用受圧体１０の厚さと強度を任意に調整することができる。
【００１７】
尚、単体のカップ体２０の厚さは均一にするか、或いは肉厚差を設けて形成してもよい。
又、複数組のカップ体２０に対し、大きさ毎に各カップ体２０の厚さの比率を変えても良い。
【００１８】
カップ体２０の高さ（深さ）は、複数のカップ体２０を積み重ねて使用したときに、アンカーヘッド４１、又はアンカーキャップ４２の頂部が斜面安定用受圧体１０の開口端から突出しない寸法に設定しておく。
【００１９】
又、本発明の斜面安定用受圧体１０は複数のカップ体２０を積み重ねて使用することから、各カップ体２０の大きさ、重さ及び厚さは、運搬性や取扱性等を考慮して設定すればよい。
【００２０】
本例ではカップ体２０の平面形状が円形である場合を一例として説明するが、カップ体２０の平面形状は円形以外に、例えば図３の（Ａ）〜（Ｃ）に示すように方形や多角形であってもよく、また楕円形であってもよい。
カップ体２０の形状は互いに内外面２１，２２を接面して積み重ねが可能な形状であればよい。
【００２１】
カップ体２０の素材としては、金属製、樹脂製、コンクリート製の何れでもよい。
カップ体２０単体の強度は、複数のカップ体２０を積み重ねたときに、アンカーの緊張定着時に作用する支圧力に対して変形しない程度の強度でよい。
従来の大形の受圧板と比べて、単体のカップ体２０は厚さが薄く、しかも単純形状であるから、材料費や製作費用が低廉である。
【００２２】
（３）施工方法
つぎに上記斜面安定用受圧体１０を使用した斜面安定化工法について説明する。
【００２３】
［アンカー工］
図１に示すように起伏のある斜面３０に、アンカー４０を施工する。
アンカー４０はグラウンドアンカー、ロックボルト等の公知のアンカーを含む。
【００２４】
［斜面安定用受圧体の搬入、セット］
斜面安定用受圧体１０を構成する複数のカップ体２０を現場に搬入する。
現場へ斜面安定用受圧体１０を搬入するにあたり、複数のカップ体２０を小分けして搬入できるから、斜面安定用受圧体１０の搬入が容易である。
【００２５】
つぎに、アンカー４０に各カップ体２０の貫通孔２３を差し込んで順次積み重ねる。
カップ体２０の積み重ねにあたり、本例では図４に示すように大径のカップ体２０から順に径の小さいものを積み重ねた場合を示すが、反対に小径のカップ体２０から順に径の大きいものを順に積み重ねてもよい。
カップ体２０の積み重ね枚数は、斜面安定用受圧体１０の受圧強度に応じた枚数とする。
このように、軽量なカップ体２０を順次積み重ねるだけの簡単な作業で以って斜面安定用受圧体１０を現場で組立てできる。
尚、斜面安定用受圧体１０を組立てた後に、アンカー工を行なう場合もある。
【００２６】
［緊張定着］
複数のカップ体２０を積み重ねて斜面安定用受圧体１０を現場で形成したら、図５に示すように斜面安定用受圧体１０の内側に支圧板４３をセットし、緊張ジャッキ等の公知の緊張手段を用いてアンカー４０を緊張する。
【００２７】
斜面安定用受圧体１０に反力をとった状態でアンカー４０を緊張して、斜面安定用受圧体１０を斜面３０に押し込む。
このとき、斜面安定用受圧体１０に変形力が作用するが、この変形力は斜面安定用受圧体１０を構成する複数のカップ体２０に分散支持される。
【００２８】
又、斜面安定用受圧体１０の底面（カップ体２０の外面２１）が錐形を呈するため、斜面安定用受圧体１０を斜面３０に貫入させ易い。
本発明では、錐形を呈する斜面安定用受圧体１０を押し込んで斜面３０に潜り込ませるものである。
そのため、従来のように起伏のある斜面３０を平に整地する必要がない。
【００２９】
図２では、斜面安定用受圧体１０の上端が斜面３０と略同じ高さになるまで押し込んだ状態を示すが、斜面安定用受圧体１０の上部が斜面３０から多少突出していてもよい。
又、斜面３０が硬質の場合は、斜面安定用受圧体１０の配設予定位置の斜面３０を擂鉢状で適宜の深さに掘削しておくとよい。
【００３０】
図２に示すように斜面安定用受圧体１０の開放端が斜面３０から隠れるまで押し込んだ後、アンカー４０の緊張端に定着具である公知のアンカーヘッド４１をセットして定着する。
さらにアンカーキャップ４２を被せて斜面安定用受圧体１０の施工を完了する。
斜面安定用受圧体１０は斜面３０に埋没し、さらにアンカーヘッド４１やアンカーキャップ４２は斜面安定用受圧体１０の内方に隠れるから、斜面３０からの突出物がない。
そのため、斜面から隆起した従来の受圧板のように景観性を損ねることがない。
【００３１】
［被覆工］
必要に応じて、斜面安定用受圧体１０が隠れるように覆土をする場合もある。
覆土して斜面安定用受圧体１０を隠すことで、景観性がさらに良くなる。
又、覆土に草花や木本類を植生して緑化する場合もある。
覆土や緑化は必須ではなく、省略しても良い。
【００３２】
（４）特性
つぎに斜面安定用受圧体１０および斜面安定化工法の特性について説明する。
【００３３】
ａ）斜面安定用受圧体の強度調整
現場の斜面３０は勾配が変化したり、設置場所により地耐力が異なる場合がある。
本発明はこのような場合に、斜面安定用受圧体１０を構成するカップ体１０の枚数を選択することで、設置現場に応じて斜面安定用受圧体１０の強度調整ができる。
【００３４】
ｂ）斜面安定用受圧体の厚さと強度
同一形状で同一寸法のカップ体２０を複数使用し、これらのカップ体２０を積み重ねて厚さが均一の斜面安定用受圧体を形成することも考えられる。
しかしながら、アンカーを介して厚さが均一の斜面安定用受圧体の全体に圧力が作用した場合、斜面安定用受圧体の中心部付近には、大きな荷重が作用するが、周縁部は中心部ほど大きな荷重がかからない。
そのため、厚さが均一の斜面安定用受圧体を使用した場合は、斜面安定用受圧体の周縁部の強度が過剰設計となって不経済である。
【００３５】
これに対し、本発明ではこのように複数のカップ体２０を積み重ねて形成した斜面安定用受圧体１０全体としての厚さを、その中心部付近を厚くし、中心部から周縁に近づくにつれて徐々に薄くすることができる（図６）。
したがって、製品化後にその形状や寸法を変えることができない従来の受圧板と比べて、斜面安定用受圧体１０を経済的で理想的な厚さと強度に設定することができる。
【００３６】
又、斜面安定用受圧体１０に作用する受圧力は複数のカップ体２０に分散支持されて、局所的に大きな曲げモーメントがはたらかない。
そのため、従来の受圧板のような補強設計を講じる必要がない。
【００３７】
ｃ）受圧面積
本発明の斜面安定用受圧体１０の底面（カップ体２０の外面２１）が平面的に見て欠損のない連続面になっているため、広い底面の全面が受圧面となる。
したがって、本発明の斜面安定用受圧体１０と、十字形を呈する従来の受圧板とを比較した場合、平面的な最大寸法が同じであっても、本発明の方がより多くの受圧面積を確保できる。
そのため、従来と比べて斜面安定用受圧体１０の設置間隔を広げることができる。
【００３８】
ｄ）擬似受圧体の補強
図６に示すように、本発明は錐形を呈する斜面安定用受圧体１０を押し込んで斜面３０に潜り込ませるものである。
そのため、斜面安定用受圧体１０が陥没した分だけ地山が圧密されて、斜面安定用受圧体１０の底面の周囲に、土が圧密されて硬化した皿状の擬似受圧体３１が形成される。
擬似受圧体３１は斜面安定用受圧体１０と構造的に一体化するため、実質的に斜面安定用受圧体１０の厚さが増したことと同じになる。
擬似受圧体３１は斜面安定用受圧体１０で支えられて、土塊強度を発揮できるから、斜面安定用受圧体１０の増強に大きく貢献する。
そのため、擬似受圧体３１の増強を見込んで、斜面安定用受圧体１０の厚さを薄く設定することができる。
【００３９】
ｅ）地山の加圧範囲
一般に受圧構造体で斜面を押さえた場合、受圧構造体の受圧面に対して約４５°の角度で地山に支圧力が作用する。
本発明の斜面安定用受圧体１０は受圧面となる底面（カップ体２０の外面２１）に勾配がついている。
そのため、図６の二点差線で示すように、斜面安定用受圧体１０の勾配のついた底面に対して約４５°の角度で地山に支圧力が作用することになる。
したがって、本発明は地山に作用する支圧力の範囲が、受圧面に勾配のついていない従来の受圧板と比べて広範になる。
【００４０】
（５）その他の実施の形態１
以降に他の実施の形態について説明するが、その説明に際し、前記した実施の形態１と同一の部位は同一の符号を付してその詳しい説明を省略する。
【００４１】
図７，８に斜面安定用受圧体１０の他の実施の形態を示す。
図７は斜面安定用受圧体１０を構成するカップ体２０の中央部以外の面に複数の開口２４を開設した例を示す。
開口２４の形成位置は、複数のカップ体２０を積み重ねたときに、開口２４が一致するように各カップ体２０の開口２４の形成位置を揃えておく。
【００４２】
本例の斜面安定用受圧体１０を使用することで、カップ体２０の軽量化が図れる。さらに開口２４は排水路としての機能と、斜面安定用受圧体１０を緑化した場合に植物の根の生長を助ける育成機能を発揮する。
【００４３】
図８は斜面安定用受圧体１０を構成するカップ体２０の側面に複数の補強用のリブ２５を形成した例を示す。
補強用のリブ２５は図示するようにカップ体２０の側面に放射状に沿って形成するか、或いは、カップ体２０の円周方向に沿って形成する。
いずれの方向に形成した場合もリブ２５は、カップ体２０の内面２２、又は外面２１へ向けて断面波形に隆起するように形成する。
またカップ体２０の積み重ねに対応するため、複数のカップ体２０を積み重ねたときに、波形のリブ２５が互いに嵌合し合うように、各カップ体２０のリブ２５の形成位置を揃えておく。
【００４４】
本例のカップ体２０を使用することで、各カップ体２０の曲げ強度が高くなるから、カップ体２０の厚さを薄くできる。
【００４５】
又、図７の開口２４と図８のリブ２５を組み合わせてもよい。
【００４６】
（６）その他の実施の形態２
図９は斜面安定用受圧体１０の一部（上部）が斜面３０から突出させた状態で定着する場合に、地耐力補助具５０を併用して行なう他の斜面安定化工法を示す。
【００４７】
単に、斜面安定用受圧体１０の一部（上部）を斜面３０から突出させただけでは、安定用受圧体１０の底面のうち、地山に直接接する面は受圧面として機能するが、斜面３０から突出して地山に接しない面は受圧面として機能しない。
【００４８】
そこで本例のように、斜面３０と、斜面３０から突出した安定用受圧体１０の底面との間に地耐力補助具５０を介装すれば、地耐力補助具５０が力の伝達部材として機能するから、安定用受圧体１０の底面のうち、斜面３０から突出して地山に直接接しない面も受圧面として機能させることが可能となる。
したがって、斜面安定用受圧体１０の一部が斜面３０から突出していても、間に地耐力補助具５０を介装するだけで、安定用受圧体１０の底面全面を受圧面として機能させることが可能となって、所定の受圧面積を確保できる。
【００４９】
本例で使用する地耐力補助具５０としては、予め断面略楔形に成形したブロック体を用いたり、コンクリートや樹脂等の硬化性材料を間に充填して現場で製作してもよい。
【００５０】
（７）その他の実施の形態３
以上は、複数のカップ体２０により斜面安定用受圧体１０を構成する場合について説明したが、本発明はカップ体２０の単体で斜面安定用受圧体１０を構成して使用することも可能である。
【図面の簡単な説明】
【００５１】
【図１】本発明に係る斜面安定用受圧体を用いた斜面安定化工法の斜視図
【図２】図１におけるＩＩ−ＩＩの断面図
【図３】斜面安定用受圧体を構成するカップ体の形状例を示す平面図
【図４】斜面安定化工法の説明図
【図５】斜面安定化工法の説明図
【図６】斜面安定用受圧体の特性を説明するためのモデル図
【図７】他の実施の形態１に係る斜面安定用受圧体を構成するカップ体の部分斜視図
【図８】他の実施の形態１に係る斜面安定用受圧体を構成するカップ体の部分斜視図
【図９】他の実施の形態２に係る斜面安定化工法の説明図
【符号の説明】
【００５２】
１０・・・斜面安定用受圧体
２０・・・カップ体
２３・・・貫通孔
２４・・・開口
３０・・・斜面
４０・・・アンカー
【図１】
2007297868.tif 000003
【図２】
2007297868.tif 000004
【図３】
2007297868.tif 000005
【図４】
2007297868.tif 000006
【図５】
2007297868.tif 000007
【図６】
2007297868.tif 000008
【図７】
2007297868.tif 000009
【図８】
2007297868.tif 000010
【図９】
2007297868.tif 000011